(57)【要約】【課題】用途を拡張し、葉書などのほか、くじシートなどにも使用可能な隠蔽情報所持体を提供する。【課題の解決手段】隠蔽情報所持体たるくじシート１は、隠蔽情報である当たりくじ情報９ａとはずれくじ情報９ｂを表示した下位シート３の隠蔽情報表示面に上位シート２を重ねて、隠蔽情報表示部分は弱接着剤７で剥離可能に、他の部分は強接着剤８で剥離困難に接着してなる基材シート４を、折り用ミシン目５で二つ折りして重ね合わせ面を剥離可能に接着し、前記基材シート４の上位シート２における剥離可能な部分には分離部１６ｂ，１６ｄを切り用ミシン目６ｂ，６ｄで区画形成し、分離部１６ｂ，１６ｄを剥離して下位シート３の当たりくじ情報９ａあるいははずれくじ情報９ｂを露出可能に構成したものである。【選択図】    図３
2004216682.tif 000002
【特許請求の範囲】
【請求項１】
隠蔽情報を表示した下位シートの隠蔽情報表示面に上位シートを重ねて、隠蔽情報表示部分は分離可能に、他の部分は分離困難に一体化してなる基材シートを、複数枚重ね合わせて重ね合わせ面を剥離可能に接着し、前記上位シートの前記下位シートに対して分離可能な部分には分離部を切り取り部で区画形成し、分離部を分離して前記下位シートの隠蔽情報を露出可能に構成したことを特徴とする隠蔽情報所持体。
【請求項２】
基材シートの重ね合わせ面の剥離可能な接着は、通常では接着せず、所定の圧を加えると接着可能となる感圧性接着剤を、重ね合わせ面の少なくとも周縁部に設けて行うことを特徴とする請求項１に記載の隠蔽情報所持体。
【請求項３】
基材シートの重ね合わせ面には、全面的に剥離可能な接着構造を設けたことを特徴とする請求項１に記載の隠蔽情報所持体。
【発明の詳細な説明】
【０００１】
【発明の属する技術分野】
本発明は、他人には知られたくない隠蔽情報を隠蔽した状態で伝達するための隠蔽情報所持体に関し、隠蔽性を高めた隠蔽葉書のほか、各種くじシートや抽選シートにも利用できる隠蔽情報所持体に関する。
【０００２】
【従来の技術】
従来、この種の隠蔽情報所持体は多くの構成が知られているが、二枚あるいは三枚の紙片の重ね合わせ面を剥離することにより、重ね合わせ面に表示していた隠蔽情報を視認可能にするよう構成するのが一般的である。一般的な隠蔽情報所持体は、隠蔽葉書やダイレクトメールに利用されるに止まるが、利用範囲を各種くじシートや抽選シートにまで拡張したものとして、重ね合わせ面に表示した隠蔽情報をスクラッチ層で被覆することにより、隠蔽情報の視認は、重ね合わせ面を剥離しただけでは不可能で、さらにスクラッチ層を削り取ることによって可能となるよう構成したものがある（例えば、特許文献１参照）。
【０００３】
【特許文献１】
特開２００１−１７１２６５号公報（第３頁、図１，図２）
【０００４】
【発明が解決しようとする課題】
ところがこのスクラッチ層を用いたものは、スクラッチ層が重ね合わせ面における対接する他面に、加圧時及びその後の時間的経過にともなって転写するという不都合があった。本発明はこの不都合を解消するとともに、用途を拡張可能な隠蔽情報所持体を提供することを目的とする。
【０００５】
【課題を解決するための手段】
この目的を達成するため、本発明の請求項１に係る隠蔽情報所持体は、隠蔽情報を表示した下位シートの隠蔽情報表示面に上位シートを重ねて、隠蔽情報表示部分は分離可能に、他の部分は分離困難に一体化してなる基材シートを、複数枚重ね合わせて重ね合わせ面を剥離可能に接着し、前記上位シートの前記下位シートに対して分離可能な部分には分離部を切り取り部で区画形成し、分離部を分離して下位シートの隠蔽情報を露出可能に構成したものである。上位シートと下位シートの一体化を接着して行う場合には、分離可能部分は剥離可能あるいは非接着状態に、分離困難部分は剥離困難に接着するものである。
【０００６】
同じく上記目的を達成するため、本発明の請求項２に係る隠蔽情報所持体は、上記請求項１の構成において、基材シートの重ね合わせ面の剥離可能な接着は、通常では接着せず、所定の圧を加えると接着可能となる感圧性接着剤を、重ね合わせ面の少なくとも周縁部に設けて行うものである。
【０００７】
同じく上記目的を達成するため、本発明の請求項２に係る隠蔽情報所持体は、上記請求項１の構成において、基材シートの重ね合わせ面には、全面的に剥離可能な接着構造を設けたものである。
【０００８】
【発明の実施の形態】
以下、本発明をくじシートに適用した実施形態を添付図面に基づいて詳細に説明する。ここにおいて、図１はくじシートの斜視図、図２は重ね合わせ面を剥離した状態の上位シート側を示す平面図、図３は図２のＡ−Ａ線断面図、図４は図２の分離部を分離してくじ情報を露出した状態を示す平面図である。
【０００９】
図１〜図３に示すように、くじシート１は、上位シート２と下位シート３を重ね合わせて接着してなる基材シート４を、下位シート３が表出するように折り用ミシン目５で二つ折りし、上位シート２の折り重ね合わせ面を剥離可能に接着してなる。図２に示すように、上位シート２には、切り取り部たる四角形状を形成する切り用ミシン目６ａ，６ｂ，６ｃ，６ｄを、前記折り用ミシン目５を対称軸として、切り用ミシン目６ａ，６ｃ同士及び切り用ミシン目６ｂ，６ｄ同士がそれぞれ対をなすよう対称的に設け、４つの分離部１６ａ，１６ｂ，１６ｃ，１６ｄを形成している。
【００１０】
そして、図３に示すように、上位シート２と下位シート３の重ね合わせ面は、各切り用ミシン目６ａ，６ｂ，６ｃ，６ｄで囲まれた分離部１６ａ，１６ｂ，１６ｃ，１６ｄ部分を接着後に剥離可能な弱接着剤７で剥離可能に、その他の部分は接着後に剥離困難な強接着剤８剥離困難に接着し、前記上位シート２と前記下位シート３とを一体化している。なお、前記弱接着剤７としては後述する感圧性接着剤１４を用いることができ、強接着剤８としては一般的な感圧性接着剤を用いることができる。また、下位シート３の重ね合わせ面における各分離部１６ａ，１６ｂ，１６ｃ，１６ｄに対応する部分には、「当たり」という当たりくじ情報９ａを一つと、「ハズレ」というはずれくじ情報９ｂを三つ、あらかじめ表示してある（図４参照）。
【００１１】
図２に示すように、上位シート２の折り重ね合わせ面には、「一つ選んで『当たり』がでれば賞品をＧＥＴ！」というキャッチフレーズ１０と、「矢印からはがして下さい」という文１１ａと各切り用ミシン目６ａ，６ｂ，６ｃ，６ｄの一隅部に向けた４つの矢印１１ｂからなる分離部剥離指示表示１１を表示している。一方、下位シート３の表出面には、図１に示すように「この内側に賞品が当たる楽しいくじがあります」という案内文１２と、一隅部に向けた矢印と「ここからはがして下さい」という文からなる剥離開始端指示表示１３を表示している。
【００１２】
図３に示すように、上位シート２の折り重ね合わせ面には、通常では接着せず所定の圧を加えると接着可能となり、接着後に剥離可能で、印字、印刷が可能な感圧性接着剤１４を全面的に塗布し、この塗布面に上述のキャッチフレーズ１０及び分離部剥離指示表示１１を設けているものである。この感圧性接着剤１４としては、印字、印刷が可能で一旦接着すると剥離困難な非剥離性接着剤基剤に、この接着剤基剤に対して非親和性を示す微粒状充てん剤を配合したものが好適である。
【００１３】
上述の接着剤基剤としては、公知の感圧性接着剤を用いればよいが、特に挙げれば、天然ゴムにスチレンとメタクリル酸メチルとをグラフト共重合させて得られた天然ゴムラテックスが、耐ブロッキング性、耐熱性、耐摩耗性等の点で好適である。一方、上述の微粒状充てん剤としては、前記接着剤基剤との親和性が小さいもの、例えば、酸化亜鉛、酸化チタン、炭酸カルシュウム、カオリン、活性白土、球状アルミナ、小麦デンプン、シリカ、ガラス粉末、シラスバルーン等がある。これらの材料は、単独でも、複数組み合わせてもよいが、特に、シリカと他の適宜な充てん剤との組み合わせが好適である。
【００１４】
そして、基材シート４を折り用ミシン目５で上位シート２の表出する折り重ね合わせ面同士を対接するように二つ折りし、感圧性接着剤１４の接着条件である所定の圧を加えることで、図１に示す、重ね合わせ面を剥離可能に接着したくじシート１を得るものである。この図１状態で、上位シート２に被覆されている下位シート３に表示した当たりくじ情報９ａ及びはずれくじ情報９ｂはむろんのこと、キャッチフレーズ１０及び切り取り部破断指示表示１１も外部からは視認できない隠蔽状態となり、使用に供される。
【００１５】
このくじシート１を手渡された者は、剥離開始端指示表示１３にしたがって、基材シート４を見開くように、上位シート２の折り重ね合わせ面を剥離すると、この重ね合わせ面に表示されていたキャッチフレーズ１０及び分離部剥離指示表示１１が露出する一方、当たりくじ情報９ａ及びはずれくじ情報９ｂは上位シート２に被覆されて視認不能な状態にある（図２参照）。ここで、一つの切り用ミシン目、例えば切り用ミシン目６ａを破断して対応する分離部１６ａを剥離すると、図４に示すように、はずれくじ情報９ｂが露出して、これを視認することができる。ここでさらに、切り用ミシン目６ｄを破断して対応する分離部１６ｄを剥離すると、図４に示すように、当たりくじ情報９ｂが露出するが、一旦剥離した分離部１６ｂを切り用ミシン目６ｂが未破断の元状態に復帰させることは不可能なので、二つの分離部１６ｂ，１６ｄが剥離された状態から不正行為であることが一目で判断できる。
【００１６】
なお、本発明は、上述した実施形態に限定されるものではなく、例えば、上位シート２の折り重ね合わせ面の剥離可能な接着構造は、感圧性接着剤１４を利用するものに限らず、前記折り重ね合わせ面に接着した透明な樹脂フィルムの密圧着によったり、感熱性接着剤によってもよい。また、これらの感圧性接着剤１４をはじめとする接着構造は、各分離部１６ａ，１６ｂ，１６ｃ，１６ｄには設けなくてもよく、上位シート２の四周縁にのみ設けてもよい。さらに、上位シート２と下位シート３の各分離部１６ａ，１６ｂ，１６ｃ，１６ｄに対応する重ね合わせ部分は、接着剤を設けずに非接着状態としてもよいものである。またさらに、くじシート１は、二枚の別体の基材シート２を重ね合わせて構成したり、三枚の基材シート２を折り重ね、あるいは三枚の別体の基材シート２を重ね合わせて構成してもよいものである。さらにまた、本発明をくじシート１以外に、隠蔽葉書などの隠蔽情報所持体にも適用できることはもちろんである。
【００１７】
【発明の効果】
以上説明したところで明らかなように、本願の請求項１に係る発明によれば、分離部を分離することで、被覆されていた隠蔽情報を視認するよう構成したので、隠蔽情報所持体の重ね合わせ面を剥離しても、直ちにはこの隠蔽情報は視認可能とはならず、隠蔽性をより向上でき、また、用途の拡張も可能であるという効果を奏する。
【００１８】
また、本願の請求項２に係る発明によれば、上記請求項１に係る発明の効果に加えて、基材シートの重ね合わせ面を、通常では接着せず、接着後に剥離可能な感圧性接着剤で、剥離可能に接着したので、確実な接着と容易な剥離動作が得られるという効果を奏する。
【００１９】
また、本願の請求項３に係る発明によれば、上記請求項１に係る発明の効果に加えて、基材シートの重ね合わせ面を、全面的に剥離可能に接着したので、確実な接着を保証して、取り扱い時に不用意に重ね合わせ面が剥離しないという効果を奏する。
【図面の簡単な説明】
【図１】くじシートの斜視図。
【図２】重ね合わせ面を剥離した状態の上位シート側を示す平面図。
【図３】図２のＡ−Ａ線断面図。
【図４】分離部を剥離してくじ情報を露出した状態を示す平面図。
【符号の説明】
１      くじシート
２      上位シート
３      下位シート
４      基材シート
５      折り用ミシン目
６ａ，６ｂ，６ｃ，６ｄ      切り用ミシン目
７      弱接着剤
８      強接着剤
９ａ      当たりくじ情報
９ｂ      はずれくじ情報
１０      キャッチフレーズ
１１      分離部剥離指示表示
１２      案内文
１３      剥離開始端指示表示
１４      感圧性接着剤
１６ａ，１６ｂ，１６ｃ，１６ｄ      分離部
【図１】
2004216682.tif 000003
【図２】
2004216682.tif 000004
【図３】
2004216682.tif 000005
【図４】
2004216682.tif 000006